(57)【要約】  盲目、弱視又はその両方の人によって使用されるための拡大装置が開示される。装置は拡大される物を置くことができるＸ−Ｙ台部を備える。据え付けのカメラアームと、旋回可能なモニタアームとがＸ−Ｙ台部の上方に向けられている。モニタアームは先端部に旋回可能に取り付けられたビデオモニタを備える。カメラアームは、側方に配置されている２つの照明アームをさらに備える。一連の制御部は、取付ブラケットを介してモニタの底部に沿って提供されている。【特許請求の範囲】
【請求項１】
盲目又は弱視の使用者によって使用されるための拡大装置において、
前縁部と、後縁部と、該前縁部と後縁部との間の側縁部とを有する基部であって、前記側縁部の間に延びている一対の第１の溝部と、前記前縁部と前記後縁部との間に延びている一対の第２の溝部とをさらに備える基部と、
前縁部と、後縁部と、側縁部と、上面とを有する台部であって、該台部はＸ方向及びＹ方向に調節可能であるように前記基部の第１及び第２の溝部に取り付けられており、該台部に物体を固定するための保持手段をさらに備える台部と、
基端部と、先端部と、前面及び後面とを有する弧状のカメラアームであって、前記基端部は前記基部の後縁部と一体化しており、前記先端部は前記台部の上方に延びているカメラアームと、
基端部と、先端部と、該基端部と先端部との間に延びている中間延在部とを有するモニタアームであって、該モニタアーム内に平衡ばねが動作可能に配置されており、該モニタアームの基端部は前記カメラアームの中間延在部に旋回可能に接続されており、それによって前記カメラアームに対して上向き及び下向きに旋回可能なモニタアームと、
側方に延びている照明アームであって、前記カメラアームの中間延在部に相互に接続されており、前記台部上に置かれた物体を照らすために各端部に光源を備える照明アームと、を組み合わせで備える拡大装置。
【請求項２】
盲目又は弱視の使用者によって使用されるための拡大装置において、
前縁部と、後縁部と、第１及び第２の側縁部と、上面とを有する台部であって、一対の窪みをさらに備え、該窪みは前記台部の表面において該窪みの間に物体を保持するための窪みである、台部と、
基端部と、先端部と、前面及び後面とを有する弧状のカメラアームであって、前記基端部は基部の後縁部と一体化しており、前記先端部は前記台部の上方に延びているカメラアームと、
基端部と、先端部と、該基端部と先端部との間に延びている中間延在部とを有するモニタアームであって、該モニタアームの基端部は前記カメラアームの中間延在部に旋回可能に接続されており、それによって前記カメラアームに対して上向き及び下向きに旋回可能なモニタアームと、を組み合わせで備える拡大装置。
【請求項３】
前記窪みは、前記台部の前縁部から後縁部まで延びている、請求項２に記載の拡大装置。
【請求項４】
Ｘ−Ｙ台部の表面に一連の窪みが設けられており、該窪みは前記第１の側縁部から前記第２の側縁部まで延びている、請求項２に記載の拡大装置。
【請求項５】
側方に延びている照明アームをさらに備え、該照明アームは前記カメラアームの中間延在部に相互に接続されており、前記台部上に保持された物体を照らすために各端部に光源を備える、請求項２に記載の拡大装置。
【請求項６】
盲目又は弱視の使用者によって使用されるための拡大装置において、
前縁部と、後縁部と、第１及び第２の側縁部と、上面とを有する台部であって、一対の隆起をさらに備え、該隆起は前記台部の表面において窪みの間に物体を保持するための隆起である、台部と、
基端部と、先端部と、前面及び後面とを有する弧状のカメラアームであって、前記基端部は基部の後縁部と一体化しており、前記先端部は前記台部の上方に延びているカメラアームと、
基端部と、先端部と、該基端部と先端部との間に延びている中間延在部とを有するモニ
タアームであって、該モニタアームの基端部は前記カメラアームの中間延在部に旋回可能に接続されており、それによって前記カメラアームに対して上向き及び下向きに旋回可能なモニタアームと、を組み合わせで備える拡大装置。
【請求項７】
前記隆起は、前記台部の前縁部から後縁部まで延びている、請求項６に記載の拡大装置。
【請求項８】
Ｘ−Ｙ台部の表面に一連の隆起が設けられており、該隆起は前記第１の側縁部から前記第２の側縁部まで延びている、請求項６に記載の拡大装置。
【請求項９】
側方に延びている照明アームをさらに備え、該照明アームは前記カメラアームの中間延在部に相互に接続されており、前記台部上に保持された物体を照らすために各端部に光源を備える、請求項６に記載の拡大装置。
【請求項１０】
側方に延びている照明アームをさらに備え、該照明アームは前記カメラアームの中間延在部に相互に接続されており、該照明アームは前記台部上に置かれた物体を照らすために各端部に光源を備える、請求項２に記載の拡大装置。
【請求項１１】
モニタに着脱可能に取り付けられた制御パネルをさらに備える、請求項２に記載の拡大装置。
【請求項１２】
制御パネルは一連の制御部を支持し、各制御部は回転可能なノブと、中央に配置された押しボタンとを有する、請求項５に記載の拡大装置。
【請求項１３】
前記モニタアーム内に平衡ばねが動作可能に固定されている、請求項２に記載の拡大装置。
【発明の詳細な説明】
【技術分野】
【０００１】
本発明は電子拡大装置のための保持装置に関する。
【背景技術】
【０００２】
本発明は拡大装置に関する。より詳細には、本発明は電子拡大器のための保持装置に関する。
視覚に障害のある人々は、本を読むこと、小さな物体に気付くこと及び微小な細部を見ることが困難である。拡大鏡は、補助のない場合の人の分解能を下回る小さな細部の知覚を可能とするために、長期にわたり使用されてきた。卓上式電子拡大器は、閉回路テレビジョン装置（ｃｃｔｖ）と時には呼ばれるが、今日では大部分の拡大鏡に取って代わっている。それらの閉回路テレビジョン装置は、物体の大きくした、すなわち、拡大した画像を生成するべくＣＭＯＳ技術によるカメラを使用する。使用者は、物体がモニタに表示されているときに、その大きくした画像を見ることができる。
【０００３】
そのような卓上式電子拡大器の一例が特許文献１（トルラスク（Ｔｒｕｌａｓｋｅ））に開示されている。トルラスクでは、調節可能なリンクによって台部の上方に取り付けられているカメラを備えた閉回路ビデオ拡大システムが開示されている。トルラスクでは、関連するモニタに一体化した一連の制御部も設けられている。
【０００４】
トルラスクに開示のもの等、現在利用可能な卓上式電子拡大器には数々の制限がある。制限の１つは、既存の拡大器が、より広い視野を有するカメラに対して十分な照明を提供しないことである。これにより、既存の拡大器は、より低い分解能のカメラを利用せざるを得ない。別の欠点は、既存の拡大器には、カメラとモニタとの間に干渉が存在することである。そのためカメラが動くことになり、これはカメラの焦点を合わせ直すことが必要になり、選択された拡大レベルにカメラがリセットされることになるので問題である。これによって見ることが中断され、不鮮明な期間が生じる。さらに別の欠点は、既存の拡大器では、しばしば一体型の、特殊な制御部を備える専用モニタが使用されることである。これにより、拡大器を従来のディスプレイと共に使用することが妨げられ、さらには修理、保守又はその両方が問題となる。
【０００５】
したがって、より広い視野を可能とする改善された照明を有する電子拡大器の必要性が存在する。モニタと、関連するカメラとの間に干渉がない電子拡大器の必要性も存在する。本発明の電子拡大器の１つの目的は、これらの及び他の必要性を満たすことにある。
【先行技術文献】
【特許文献】
【０００６】
【特許文献１】米国特許出願公開第２００６／０２０３０９３号
【図面の簡単な説明】
【０００７】
【図１】本開示の拡大装置の正面図。
【図２】本開示の拡大装置の側面図。
【図３】本開示の拡大装置の平面図。
【図４】本開示の拡大装置の背面図。
【図５】本開示の拡大装置の斜視図。
【図６】本開示の拡大装置の台部の平面図。
【図７】モニタアームがカメラアームに対して旋回された、拡大装置の斜視図。
【図８】モニタアームがカメラアームに対して旋回された、拡大装置の斜視図。
【図９（ａ）】本開示において利用されるカメラアームの断面図。
【図９（ｂ）】本開示において利用されるカメラアームの断面図。
【図１０】本開示において使用される、制御部と自己撮影（ｓｅｌｆ−ｖｉｅｗ）カメラの詳細図。
【図１１】本開示の照明配置を示す詳細図。
【図１２】本開示のカメラハウジングの下側の斜視図。
【図１３（ａ）】拡大装置のための台部の他の実施形態のプロファイル図。
【図１３（ｂ）】図１３（ａ）の台部の平面図。
【図１４（ａ）】拡大装置のための台部の他の実施形態のプロファイル図。
【図１４（ｂ）】図１４（ａ）の台部の平面図。
【図１５（ａ）】拡大装置のための台部の他の実施形態のプロファイル図。
【図１５（ｂ）】図１５（ａ）の台部の平面図。
【図１６（ａ）】拡大装置のための台部の他の実施形態のプロファイル図。
【図１６（ｂ）】図１６（ａ）の台部の平面図。
【図１７】拡大装置の台部と関連して使用される、着脱可能な保持装置のプロファイル図。
【図１８】拡大装置の台部と関連して使用されるための、着脱可能な保持装置のプロファイル図。
【図１９（ａ）】拡大装置のための台部の他の実施形態のプロファイル図。
【図１９（ｂ）】図１９（ａ）の台部の平面図。
【図２０（ａ）】拡大装置のための台部の他の実施形態のプロファイル図。
【図２０（ｂ）】図２０（ａ）の台部の平面図。
【発明を実施するための形態】
【０００８】
本開示の拡大器によって提供される１つの利点は、改善された照明配置によって、より広い視野とより高い分解能とを可能にすることである。
別の利点は、側方に配置された取付アームに取り付けられている光源を提供することによって実現される。
【０００９】
開示された拡大器のカメラは、モニタと、関連するカメラとに対して２つの独立した取付アームを提供することによってさらに別の利点を提供する。
据え付けのカメラと、調節可能なモニタとを提供することによって、さらなる利点が提供される。
【００１０】
別の利点は、取付ブラケットを介してモニタを着脱可能に固定することによって、モニタが容易に取り替えられ、修理され又はその両方について可能にすることによって達成される。
【００１１】
本発明の様々な実施形態は、これらの利点を全く有していないか、複数有しているか又はすべて有していてもよい。本発明の他の利点は当業者にとって容易に明らかになる。
本発明の性質及び目的をより十分に理解するため、添付の図面に関連してなされる以下の詳細な説明が参照される。
【００１２】
【表１】
2014513875.tif 000002
【００１３】
本開示は、盲目の人、弱視（ｌｏｗ  ｖｉｓｉｏｎ）の人又はその両方によって使用されるための拡大装置に関する。その装置は、拡大される物を置くことができるＸ−Ｙ台部を備える。据え付けのカメラアームと、旋回可能なモニタアームとがＸ−Ｙ台部の上方に向けられている。モニタアームは、先端部に旋回可能に取り付けられているビデオモニタを備える。カメラアームは、側方に配置された照明アームも備える。一連の制御部は、取付ブラケットを介してモニタの底部に沿って提供される。本開示の様々な詳細と、これらが相互に関連する方法とが、以下により詳細に記載される。
【００１４】
装置１０は、下にある基部１４に調節可能に取り付けられたＸ−Ｙ台部１２を備える。台部１２及び基部１４の両方は、前縁部及び後縁部（それぞれ、１６及び１８）並びに一対の側縁部２２によって形成されている。支持をしている表面を損傷することを避けるべく、ゴム製の又は弾性力のある足が基部の底面に配置されてもよい。二対の溝部が基部に形成されている。これらの溝部は、基部１４の側縁部同士の間に延びている一対の第１の溝部２４と、基部１４の前縁部と後縁部との間に延びている一対の第２の溝部２６とを含む。Ｘ−Ｙ台部１２は、溝部（２４及び２６）に嵌合したレールであって、Ｘ方向及びＹ方向の調節を可能にするレールを備える。
【００１５】
Ｘ−Ｙ台部１２は、使用者が基部１４に対して台部１２を操作することを可能にするためのグリップ領域２８を有する前縁部をさらに備える。台部１２は中央に配置されたロック３２をさらに備える。ロック３２は２つの方向を有する。第１の方向では、台部１２は基部１４に対して固定されている。第２の方向では、使用者は基部１４に対してＸ方向及びＹ方向に台部１２を動かすことができる。
【００１６】
台部１２は、物を見るのに簡便かつ確実にその物が配置されることを可能にするための複数の特徴部分を備える。例えば、最後部の盛り上がった部分３４は、台部１２の後縁部
１８から物が落ちることを抑制すべく備えられている。中央に配置された弧状の溝部３６は、最後部１８に近接してさらに備えられている。溝部３６は、好適には台部１２の上面に窪みとして形成される。溝部３６によって、閲覧のために円柱状の物体が台部１２に簡便に配向されることが可能になる。溝部３６は、処方薬瓶を安全に置くために理想的に適している。これにより、瓶が回転に抗して固定されることを可能にし、関連するテキストの拡大を可能にすべく瓶が適切に配向されることを可能にする。示されている溝部３６が好適であるが、他の配置も同様に使用され得る。例えば、窪んだ溝部３６の代わりに、直立した突出部が台部１２の表面内に形成されてもよい。これらの突出した部分は台部１２の上の任意の位置に配置されてよく、同様に円柱状の物体を保持するように機能し得る。
【００１７】
装置１０のカメラアーム３８が次に記載される。アーム３８は基部１４の後縁部１８から延びており、後縁部１８と一体化している。カメラアーム３８は、基端部４２、先端部４４及び中間延在部４６や、前面及び後面（それぞれ、４８及び５２）によって形成される。アーム３８を弧状であるように開示しているが、他の形状、外形又はその両方からアーム３８が形成されることも同様に可能である。基端部４２は基部１４の後縁部１８から上向きに延びており、先端部４４は台部１２の上方に延びている。図に示されているように、最先端部分は、関連するモニタを支持するアームとの干渉を避けるべく、下向きに曲がっている。カメラアーム３８は、中間延在部４６内にアクセス開口部５４をさらに備える。
【００１８】
このアクセス開口部５４によって、関連するカメラハウジング内に配置されているカメラに関連する電源コンセント、電気コネクタ及びコンピュータポートを使用者が利用することが可能になる。アクセス開口部５４を通じてカメラに結合されるケーブルが、カメラアーム４２の後面内に配置されている溝部５６を通じて配線されることが可能である。使用者が適切にケーブルを固定できるように、溝部５６内にケーブルクリップ又は他の留具機構が配置されてもよい。
【００１９】
装置のカメラハウジング５８が次に記載される。カメラハウジングは一般に、前端部及び後端部の両方（それぞれ６２及び６４）を備える矩形の外形を有する。アパチャー開口部６６はカメラハウジングの下面に配置されている。この開口部は、ハウジング５８内に支持されているミラーによって、カメラのレンズの位置合わせをするべく構成されている。ハウジングの後端部６４はカメラアーム３８のアクセス開口部５４内に収容され、ねじ又は留具によってさらに固定されるように構成されている。カメラハウジング５８は適切に配向されると、前面４８に接して、カメラアームの先端部４４に固定される。アパチャー開口部６６はさらに、台部１４の上方の中央に向けられている。これにより、関連するカメラは、台部の上に配置された物体を見ること及び焦点を合わせることが可能になる。カメラ６８は、理想的には、台部１２の表面全体を見るべく十分な分解能及び視野を有している。好適な実施形態では、カメラ６８の分解能は７６８画素行×４９４画素列である。カメラ６８の分解能、拡大及び位置によって、既存の拡大器と比べて、十分に広い視野がもたらされる。示されている実施形態では、視野は概ね、幅２２．９ｃｍ（９．０インチ）、長さ１７．８ｃｍ（７．０インチ）である。これにより、拡大器を用いて見ることができる物体の数が劇的に増大する。
【００２０】
カメラ６８によって見られる物体は、関連するモニタ７２に表示される。次にモニタ７２は、モニタブラケット７６を介してモニタアーム７４に固定される。モニタアーム７４は、基端部７８及び先端部８２の両方並びに該基端部と先端部との間に延びている中間延在部８４を備える。モニタアーム７４の基端部７８は、ヒンジ組立体８６を介してカメラアーム３８の中間延在部４６に旋回可能に固定される。ヒンジ組立体８６によって、カメラアーム３８は下にあるカメラアーム３８に対して、旋回及び回転の両方が可能になる。ピン８６（ａ）は回転に対してアームをロックするために提供され得る。ヒンジ組立体８
６は、アクセス開口部５４の上方の位置に好適には配置される。カメラアーム３８の先端部４４は、モニタブラケット７６が固定されるスイベル取付部を備える。次にモニタ７２は、着脱可能な留具によって従来のやり方でモニタブラケット７６に固定される。
【００２１】
ビデオケーブルは、好適な実施形態ではＨＤＭＩ（登録商標）ケーブルであり、カメラ６８のＨＤＭＩ出力６８（ａ）から、カメラハウジング５８を通じ、モニタアーム７４の内部を通じ、モニタ７２の入力にまで延びている。これによってカメラ６８からモニタ７２までビデオフィードが提供される。アーム７４を通じてケーブルを配線することによって、整理された外観が提示される。ＨＤＭＩケーブルが好適であるが、他の種類の接続が使用されてもよい（Ｓ−ビデオケーブル、コンポーネントケーブル又はＶＧＡケーブル等）。カメラ６８はＵＳＢ出力６８（ｂ）も備える。その出力はカメラ６８からのライブビデオをパーソナルコンピュータ（ＰＣ）にフィードするために使用され得る。これにより、台部１２上の物体がＰＣで見られ得る。さらに、そのＰＣは制御部１１２及び１２０によって提供される機能を再現するソフトウェアを備えることができる。カメラ６８は同様にＶＧＡ入力６８（ｃ）を備える。これにより、ＰＣからの出力を、拡大装置１０のモニタ７２で見ることが可能になる。
【００２２】
さらに、物体を並べて見ることを可能にすべく、ＶＧＡ入力６８（ｃ）がＵＳＢ出力６８（ｂ）と共に使用され得る。つまり、台部１２上の物体は、ＵＳＢ出力６８（ｃ）及びケーブルを介して、カメラ６８によって見られ、ＰＣモニタに表示され得る。また、制御パネル１０８の機能は、ＰＣで作動するソフトウェアによって再現され得る。そのソフトウェアは、表示される画像を修正するためにさらに他の機能を付け加え得る。その後、この画像は、ビデオケーブルをＰＣとＶＧＡ入力６８（ｃ）との間で繋ぐことによってモニタ７２に表示され得る。これにより、２つのモニタによって物体を並べて見ることが可能になり得る。
【００２３】
カウンターバランスばね９２は、モニタアーム７４内に動作可能に取り付けられ、使用者がモニタ７２及びモニタアーム７４を上下させることを補助する。ばね９２は基端キャップと先端キャップと（それぞれ９４及び９６）の間に、取り付けられている。先端キャップ９６は取付ねじ９８の回りに螺着されている（ｔｈｒｅａｄｅｄ）。張力ねじ１０２は、取付ねじ９８を回転させ、それによってバランスねじ９２を圧縮するように又は圧縮しないように先端キャップ９６を配置するように用いられる。このように、張力ねじ１０２は、取り付けられたモニタ７２の大きさ及び重さに応じて適切な張力にセットするように使用され得る。基端キャップ９４は回転可能なベアリング１０６を介してリンク部材１０４に接続される。リンク部材１０４の反対の端部は、ヒンジ組立体８６に旋回可能に接続される。モニタアーム７４の基端部７８は、同様にヒンジ組立体８６に旋回可能に接されており、これによって３本の棒のリンク部材をなしている。
【００２４】
図９（ａ）の完全に下げられた位置では、ばね９２は圧縮されている。図９（ｂ）の完全に上げられた位置では、ばね９２は完全に伸びている。これらの２つの位置の間では、ばね９２は引っ張られていない。このように、ばねの力はモニタ７２の重さを補償するために使用される。さらに、そのような運動は、カメラ６８の位置を乱すことも、又は他の態様で干渉することもなく、達成される。
【００２５】
モニタブラケット７６は、底部に沿って制御パネルを備える。この制御パネル１０８は、表側に３つの個別の制御部１１２を理想的に備える。これらの制御部１１２（ａ），１１２（ｂ），１１２（ｃ）のそれぞれは、回転可能な外ノブ１１４と、中央に配置されている押しボタン１１６とを備える。各例では、回転可能な外ノブ１１４は、中央の押しボタン１１６からは分離されており、独立して動作する。したがって、外ノブ１１４は押しボタンとして動作せず、押しボタン１１６は回転可能なノブとして動作しない。これによ
って、制御部の不慮の動作が排除されるか、非常に減少する。
【００２６】
例えば、第１の制御部１１２（ａ）は、モニタ７２の明るさを調節する回転可能な外ノブ１１４（ａ）と、照明を消す又は点灯させるための中央の押しボタン１１６（ａ）とを備え得る。第２の制御部１１２（ｂ）は、拡大用の回転可能な外ノブ１１２（ｂ）と、画面を静止させるための中央の押しボタン１１６（ｂ）とを備え得る。第３の制御部１１２（ｃ）は、異なる配色間で切り替えるための回転可能な外ノブ１１４（ｃ）と、関連する自己撮影カメラ１１８を操作するための押しボタン１１６（ｃ）とを備え得る。示されているように、自己撮影カメラ１１８は、モニタ７２の頂部に沿って配置されてもよい。このカメラ１１８によって、身だしなみを整えるために必要となる場合など、使用者は自身の顔のクローズアップ画像を見ることができる。
【００２７】
好適な実施形態では、制御パネル１０８の底部に沿って、２つの追加の制御部１２０が同様に備えられる（図８参照）。制御部１２０は、制御パネル１０８に動作可能に結合されており、パネル１０８を取り替えることによって、取り外され得る。それらの制御部１２０は、２つの異なる制御機能を達成すべく、回転し又は押すことができるホイールである。一方の制御部１２０はハイライト機能を動作するために理想的に適している。この機能によって、スクリーン上の文書の１つ又は複数の個々の行を、そのスクリーン上の残る部分とは異なった色又は濃淡で表示することができる。残る制御部１２０は、ブラインド機能を操作するために理想的に適している。この機能によって、文書の１つ又は複数の行に対して、スクリーンの全体の領域ブロックするか又は暗くする。ハイライト機能及びブラインド機能の両方は、制御部１２０を回転させるか、押すか、又はその両方によって、操作することができる。他の制御機能も制御部１２０に対して同様に割り当てられてよい。メモリカードスロット１２６も、制御パネル１０８の底部に沿って提供される。このスロットは、例えば、ＳＤメモリカードを収容するように構成されていてもよい。スロット１２６によって、ソフトウェア更新がオペレーティングシステムに対して提供されることが可能になる。スロット１２６により、カメラ６８から静止画像がダウンロードされ、記憶されることが可能になる場合がある。
【００２８】
台部１２の表面全体に対する適切な照明は、側方に延びるライトブリッジ又は照明アーム１２２によって提供される。アーム１２２の中央部分は、カメラアーム３８の中間延在部４６に固定される（図２参照）。アーム１２２はカメラアーム３８の両方の側に対してある距離で延びている。アーム１２２の先端部は、発光ダイオード（ＬＥＤ）等の光源を支持するためのハウジングを備える。反射光がカメラ６８に入り込み、擬似点灯（ｗａｓｈ−ｏｕｔ）を生じさせることを避けるべく、照明アーム１２２は台部１２に対してある角度で配向されている。これにより、台部１２に置かれる物体に対する適切な照明が確実になり、カメラのより広い視野に役立つ。好適な実施形態では、ＬＥＤから発する光の中央線は、台部１２の表面に対してある角度で当たる（図８参照）。好適な実施形態では、この角度は約４５．５°である。照明は他の角度で配向されてもよいが、カメラ６８によって提供される視野に対する最適な照明は、この角度で提供されることが分かった。
【００２９】
卓上式保持装置に対する代替の実施形態
卓上式保持装置に対する複数の代替実施形態は、図１３〜図２０に関して示される。これらの様々な実施形態は、図１〜図１２に示された主要な実施形態とほとんどの点について同じである。しかしながら、それら他の実施形態では、異なる保持手段が、Ｘ−Ｙ台部１２の上面に備えられている。これらの保持手段により、物体は滑ることも転がることもなく、台部１２の表面に保たれることが可能になる。これにより使用者は見る際に両手を使う必要のない状態を維持できる。
【００３０】
図１３（ａ）〜図１３（ｂ）の実施形態では、一連の突出部１３０がＸ−Ｙ台部内に形
成される。これらの突出部１３０、すなわち上向きに延びている隆起は、台部１２の最前部から最後部まで延びている。台部１２の幅全体に及ぶ全部で２０になる突出部が備えられている。図１３（ａ）は、これらの突出部１３０が弧状の断面図を有していることを示している。しかしながら、図１４（ａ）〜図１４（ｂ）に示されているように、角をなす断面図を有する、他の突出部１３２が使用されてもよい。これらの実施形態は、Ｘ−Ｙ台部の複数の位置で一対の突起部の間に物体を保持することを使用者に可能にする利点がある。
【００３１】
図１５（ａ）〜図１５（ｂ）の実施形態は、Ｘ−Ｙ台部の表面内に形成された単一のＶ字型の凹部１３４を備える。図１３〜図１４の実施形態とは異なり、凹部１３４は最前部と最後部との間に延びていない。その代わり、凹部１３４は最後部から近い距離のみ延びている。凹部１３４の長さは、一般に薬瓶等のより小さな円柱状の物体を保つために十分である。図１６（ａ）〜図１６（ｂ）の実施形態では、曲線状の又は弧状の凹部１３６が角をなす凹部の代わりに使用されている。
【００３２】
図１７〜図１８の実施形態では、保持装置（１３８又は１４２）は単独部品として形成されており、その部品が置かれない場合には平らなＸ−Ｙ台部の表面の任意の場所に置くことができる。この単独部品は、弧状の（１３８）又は角のある（１４２）突起部のいずれかを備え得る。これらの実施形態は、保持されている物体をＸ−Ｙ台部の表面の任意の場所に使用者が配置できるといった、さらなる利点がある。これらの実施形態では、台部１２の表面全体は保持装置が不要な状況に対しても使用されるべく、保持装置を取り外すことも可能である。
【００３３】
図１９及び図２０では、さらに別の実施形態が開示されている。これらの実施形態では、台部１２の上面から外向きに延びている、間隔を開けて設けられた２つの突起部が備えられている。各場合で突起部は、台部１２の最前部から最後部にまで完全に延びている。図１９の実施形態では、これらの隆起１４４は角をなす。図２０の実施形態では、これらの隆起１４６は弧状である。しかしながら、図１３及び図１４の実施形態とは異なり、１セットのみの突起部が備えられている。理想的には、一対の突起部がＸ−Ｙ台部の上の中央に置かれる。
【００３４】
本開示は、以上に記載の開示のみならず、添付の請求項に含まれる開示を含む。本発明は、ある程度の詳細と共に好適な形態において記載されているが、好適な形態の本開示は一例としてのみなされており、本発明の趣旨及び範囲から逸脱することなく、構造の詳細並びに部分の組合せ及び改変について多数の変形がなされ得ると理解される。
【００３５】
以上、本発明について記載した。
【図１】
2014513875.tif 000003
【図２】
2014513875.tif 000004
【図３】
2014513875.tif 000005
【図４】
2014513875.tif 000006
【図５】
2014513875.tif 000007
【図６】
2014513875.tif 000008
【図７】
2014513875.tif 000009
【図８】
2014513875.tif 000010
【図９（ａ）】
2014513875.tif 000011
【図９（ｂ）】
2014513875.tif 000012
【図１０】
2014513875.tif 000013
【図１１】
2014513875.tif 000014
【図１２】
2014513875.tif 000015
【図１３（ａ）】
2014513875.tif 000016
【図１３（ｂ）】
2014513875.tif 000017
【図１４（ａ）】
2014513875.tif 000018
【図１４（ｂ）】
2014513875.tif 000019
【図１５（ａ）】
2014513875.tif 000020
【図１５（ｂ）】
2014513875.tif 000021
【図１６（ａ）】
2014513875.tif 000022
【図１６（ｂ）】
2014513875.tif 000023
【図１７】
2014513875.tif 000024
【図１８】
2014513875.tif 000025
【図１９（ａ）】
2014513875.tif 000026
【図１９（ｂ）】
2014513875.tif 000027
【図２０（ａ）】
2014513875.tif 000028
【図２０（ｂ）】
2014513875.tif 000029
【国際調査報告】
2014513875.tif 000030
2014513875.tif 000031